(57)【特許請求の範囲】
【請求項１】
目地部を介して設けられた左右の建物の床躯体の一方の目地部側の床躯体に形成された反目地部側が傾斜面の目地プレート支持ガイド凹部と、前記左右の床躯体の他方の目地部側床躯体に上面が、該他方の床躯体の上面とほぼ同一面で、上方へ移動可能な取付け具を介して後端部が取付けられ、先端部が前記目地プレート支持ガイド凹部を覆い、目地部が狭くなると先端部が一方の床躯体上へ乗り上がることができる目地プレートと、前記目地部に位置する前記目地プレートの底面に形成された一方の床躯体側より他方の床躯体側が順次下方へ突出する傾斜面の押し上げ片と、この押し上げ片と当接し、目地部が狭くなると前記目地プレートを上面が水平状態になるように押し上げる前記一方の床躯体の目地部側に取付けられた目地プレート押し上げるローラーを用いたスベリ支承とからなることを特徴とする床用目地装置。
【請求項２】
目地部を介して設けられた左右の建物の床躯体の一方の目地部側の床躯体に形成された反目地部側が傾斜面の目地プレート支持ガイド凹部と、前記左右の床躯体の他方の目地部側床躯体に上面が、該他方の床躯体の上面とほぼ同一面で、上方へ移動可能な取付け具を介して後端部が取付けられ、先端部が前記目地プレート支持ガイド凹部を覆い、目地部が狭くなると先端部が一方の床躯体上へ乗り上がることができる目地プレートと、前記目地部に位置する前記目地プレートの底面に形成された一方の床躯体側より他方の床躯体側が順次下方へ突出する傾斜面の押し上げ片と、この押し上げ片と当接し、目地部が狭くなると前記目地プレートを上面が水平状態になるように押し上げる前記一方の床躯体の目地部側に取付けられた目地プレート押し上げるローラーを用いたスベリ支承と、前記目地プレートの後端および先端部の上部に枢支された端部ガイドプレートとからなることを特徴とする床用目地装置。
【請求項３】
目地部を介して設けられた左右の建物の床躯体の一方の目地部側の床躯体に形成された反目地部側が傾斜面の目地プレート支持ガイド凹部と、前記左右の床躯体の他方の目地部側床躯体に上面が、該他方の床躯体の上面とほぼ同一面で、上方へ移動可能な取付け具を介して後端部が取付けられ、先端部が前記目地プレート支持ガイド凹部を覆い、目地部が狭くなると先端部が一方の床躯体上へ乗り上がることができる目地プレートと、前記目地部に位置する前記目地プレートの底面に形成された一方の床躯体側より他方の床躯体側が順次下方へ突出する傾斜面の押し上げ片と、この押し上げ片と当接し、目地部が狭くなると前記目地プレートを上面が水平状態になるように押し上げる前記一方の床躯体の目地部側に取付けられた目地プレート押し上げるローラーを用いたスベリ支承とからなる床用目地装置において、目地部が狭くなって目地プレートが押し上げられると、該目地プレートの先端部が後端部より重くなるように目地プレートが形成されていることを特徴とする床用目地装置。
【発明の詳細な説明】
【０００１】
【発明の属する技術分野】
本発明は地震等によって目地部が狭くなると、床目地部を覆っている目地プレートの先端部が一方の床躯体上へ突出して、その揺れ動きを吸収する床用目地装置に関する。
【０００２】
【従来の技術】
従来、この種の床用目地装置は目地部を介して設けられた左右の建物の床躯体の一方の目地部側の床躯体に形成された反目地部側が傾斜面の目地プレート支持ガイド凹部と、前記左右の床躯体の他方の目地部側床躯体に上面が、該他方の床躯体の上面とほぼ同一面で上方へ移動可能に後端部が取付けられ、先端部が前記目地プレート支持ガイド凹部を覆い、目地部が狭くなると先端部が一方の床躯体上へ乗り上がることができる板状の目地プレートとで構成されている。
【０００３】
【発明が解決しようとする課題】
従来の床用目地装置は目地部が地震等によって狭くなると、目地プレートの先端部が一方の床躯体上へ目地プレートの先端部と床面との間に隙間が生じるように突出して危険性が生じるという欠点があった。
【０００４】
本発明は以上のような従来の欠点に鑑み、目地部が狭くなっても目地プレートの先端部が一方の床躯体の床面より上方へ突出するのを効率よく阻止して、安全に使用することができるとともに、構造が簡単で、容易に実施することができる床用目地装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は目地部を介して設けられた左右の建物の床躯体の一方の目地部側の床躯体に形成された反目地部側が傾斜面の目地プレート支持ガイド凹部と、前記左右の床躯体の他方の目地部側床躯体に上面が、該他方の床躯体の上面とほぼ同一面で、上方へ移動可能な取付け具を介して後端部が取付けられ、先端部が前記目地プレート支持ガイド凹部を覆い、目地部が狭くなると先端部が一方の床躯体上へ乗り上がることができる目地プレートと、前記目地部に位置する前記目地プレートの底面に形成された一方の床躯体側より他方の床躯体側が順次下方へ突出する傾斜面の押し上げ片と、この押し上げ片と当接し、目地部が狭くなると前記目地プレートを上面が水平状態になるように押し上げる前記一方の床躯体の目地部側に取付けられた目地プレート押し上げるローラーを用いたスベリ支承とで床用目地装置を構成している。
【０００７】
【発明の実施の形態】
以下、図面に示す実施の形態により、本発明を詳細に説明する。
【０００８】
図１ないし図７に示す本発明の第１の実施の形態において、１は目地部２を介して設けられた左右の建物３、３の床躯体３ａ、３ａ間の目地部を覆う本発明の床用目地装置で、この床用目地装置１は前記左右の建物３、３の一方の目地部側の床躯体３ａに形成された反目地部側が傾斜面４の目地プレート支持ガイド凹部５と、前記左右の床躯体３ａ、３ａの他方の目地部側床躯体３ａに上面が該他方の床躯体３ａの上面とほぼ同一面で、上方へ移動可能な取付け具６を介して後端部が取付けられ、先端部が前記目地プレート支持ガイド凹部５を覆い、目地部２が狭くなると先端部が一方の床躯体３ａへ乗り上げることができる目地プレート７と、前記目地部２に位置する前記目地プレート７の両側面寄りの底面に形成された一方の床躯体３ａ側より他方の床躯体３ａ側が順次下方へ突出する傾斜面８の押し上げ片９、９と、この押し上げ片９、９と当接し、目地部２が狭くなると前記目地プレート７を押し上げる、前記一方の床躯体３ａの目地部側に必要に応じて取付けられた目地プレート押し上げスベリ支承としてのローラー１０、１０と、前記目地プレート７の後端および先端部の上部に枢支ピン１１、１１で枢支された端部ガイドプレート１２、１２とで構成されている。
【０００９】
前記取付け具６は図３に示すように、前記他方の目地部側床躯体３ａに複数本のビス１３等によって固定されるアングル状の取付け板１４と、この取付け板１４の上面板１４ａの両側部寄りの部位に形成されたピン挿入孔１５、１５と、このピン挿入孔１５、１５を通過して前記目地プレート７の後端部の底面に固定される下端部にストッパー１６、１６が設けられた支持軸１７、１７とで構成されている。
【００１０】
前記目地プレート７は図４および図５に示すように、薄い四角皿状に金属板等で形成された目地プレート本体１８と、この目地プレート本体１８内にモルタルやコンクリート１９等を介して取付けられた、タイルや床化粧板等の木材２０とで構成されている。
【００１１】
上記構成の床用目地装置１は地震等によって左右の建物３、３が揺れ動いて目地部２が広くなった場合には、図６に示すように目地プレート７の先端部が目地プレート支持ガイド凹部５上をスライド移動して、その揺れ動きを吸収する。
目地部２が狭くなった場合には、図７に示すように目地プレート７の先端部が目地プレート支持ガイド凹部５の反目地部側の傾斜面４に沿って上方へスライド移動するとともに、目地プレート押し上げスベリ支承としてのローラー１０、１０が押し上げ片９、９を押し上げるため、目地プレート７が上方へスムーズに押し上げられ、上面が水平状態となり、目地プレート７の先端部と一方の床躯体３ａとの間に大きな隙間が生じることがない。
なお、本発明の実施の形態において、押し上げ片９、９の幅寸法を大きく設定することにより、異なる前後方向の揺れ動きにも対応することができる。
【００１２】
【発明の異なる実施の形態】
次に、図８ないし図１５に示す本発明の異なる実施の形態につき説明する。なお、これらの本発明の異なる実施の形態の説明に当って、前記本発明の第１の実施の形態と同一構成部分には同一符号を付して重複する説明を省略する。
【００１３】
図８および図９に示す本発明の第２の実施の形態において、前記本発明の第１の実施の形態と主に異なる点は、目地プレート押し上げスベリ支承としてのローラー１０、１０の上面を目地プレート支持ガイド凹部５よりもわずか上方に位置するように設定した点で、このように構成した床用目地装置１Ａにしても、前記本発明の第１の実施の形態と同様な作用効果が得られるとともに、目地プレート７を目地プレート押し上げスベリ支承としてのローラー１０、１０によって、よりスムーズにスライド移動させることができる。
【００１４】
図１０ないし図１２に示す本発明の第３の実施の形態において、前記本発明の第１の実施の形態と主に異なる点は、目地プレート支持ガイド凹部５を覆うように、目地プレート支持ガイドカバー部材２１を複数本のビス１３等によって固定し、他方の目地部側の床躯体３ａに目地プレート７の後端部を支持する支持凹部２２を形成し、該支持凹部２２を覆う支持凹部カバー部材２３を複数本のビス１３等によって固定するとともに、目地プレート７の中央底面に幅広の押し上げ片９Ａと、幅広の目地プレート押し上げスベリ支承としてのローラー１０Ａとを用いた点で、このように構成した床用目地装置１Ｂにしても、前記本発明の第１の実施の形態と同様な作用効果が得られる。
【００１５】
図１３ないし図１５に示す本発明の第４の実施の形態において、前記本発明の第１の実施の形態と主に異なる点は、目地部２が狭くなって目地プレート押し上げスベリ支承としてのローラー１０、１０によって目地プレート７Ａが押し上げられると、該目地プレート７の先端部が後端部より重くなるように目地プレート７の先端部寄りの部位に重り２４を設けた目地プレート７Ａを用いた点で、このように形成した目地プレート７Ａを用いて構成した床用目地装置１Ｃにしても、前記本発明の第１の実施の形態と同様な作用効果が得られるとともに確実に目地プレート７Ａの先端部の浮き上がりを阻止して、安全に使用することができる。  本発明の実施の形態では重りを用いるものについて説明したが、本発明はこれに限らず、重りを用いることなく先端部と後端部の重量バランスを設定したものであってもよい。
【００１６】
図１６および図１７に示す本発明者が考えた床用目地装置１Ｄにおいて、前記本発明の第３の実施の形態と主に異なる点は、目地プレート押し上げスベリ支承としてのローラーを用いることなく目地プレート押し上げスベリ支承として一方の床躯体３ａの目地部側角部上面を使用した点で、このように構成した床用目地装置１Ｄにしてもよい。
【００１７】
【発明の効果】
以上の説明から明らかなように、本発明にあっては次に列挙する効果が得られる。
【００１８】
（１）目地部を介して設けられた左右の建物の床躯体の一方の目地部側の床躯体に形成された反目地部側が傾斜面の目地プレート支持ガイド凹部と、前記左右の床躯体の他方の目地部側床躯体に上面が、該他方の床躯体の上面とほぼ同一面で、上方へ移動可能な取付け具を介して後端部が取付けられ、先端部が前記目地プレート支持ガイド凹部を覆い、目地部が狭くなると先端部が一方の床躯体上へ乗り上がることができる目地プレートと、前記目地部に位置する前記目地プレートの底面に形成された一方の床躯体側より他方の床躯体側が順次下方へ突出する傾斜面の押し上げ片と、この押し上げ片と当接し、目地部が狭くなると前記目地プレートを上面が水平状態になるように押し上げる前記一方の床躯体の目地部側に取付けられた目地プレート押し上げるローラーを用いたスベリ支承とで構成されているので、目地プレートの先端部が一方の床躯体上に突出する場合に、目地プレートの底面に形成した押し上げ片を目地プレート押し上げるローラーを用いたスベリ支承によって押し上げ、ほぼ水平状態にすることができる。
したがって、目地プレートの先端部が床躯体から大きく突出するのを阻止して安全に使用することができる。
【００１９】
（２）前記（１）によって、目地プレートの底面に形成する押し上げ片と目地プレート押し上げるローラーを用いたスベリ支承を設けるだけでよく、容易に、安価に実施することができる。
【００２０】
（３）前記（１）によって、構造が簡単で、容易に目地プレートを目地部が狭くなった場合に上方へ移動させることができる。
【００２１】
（４）請求項２、３も前記（１）〜（３）と同様な効果が得られる。
【図面の簡単な説明】
【図１】本発明の第１の実施の形態の平面図。
【図２】図１の２−２線に沿う拡大断面図。
【図３】本発明の第１の実施の形態の取付け具の説明図。
【図４】本発明の第１の実施の形態の目地プレートの一部破断斜視図。
【図５】本発明の第１の実施の形態の目地プレートの底面を示す斜視図。
【図６】本発明の第１の実施の形態の目地部が広くなった動作説明図。
【図７】本発明の第１の実施の形態の目地部が狭くなった動作説明図。
【図８】本発明の第２の実施の形態の平面図。
【図９】図８の９−９線に沿う拡大断面図。
【図１０】本発明の第３の実施の形態の平面図。
【図１１】図１０の１１−１１線に沿う拡大断面図。
【図１２】本発明の第３の実施の形態の目地プレートを外した状態の平面図。
【図１３】本発明の第４の実施の形態の平面図。
【図１４】図１３の１４−１４線に沿う拡大断面図。
【図１５】本発明の第４の実施の形態の目地プレートの一部破断斜視図。
【図１６】本発明者が考えた床用目地装置の平面図。
【図１７】図１６の１７−１７線に沿う拡大断面図。
【符号の説明】
１、１Ａ、１Ｂ、１Ｃ、１Ｄ：床用目地装置、
２：目地部、            ３：建物、
３ａ：床躯体、          ４：傾斜面、
５：目地プレート支持ガイド凹部、
６：取付け具、          ７、７Ａ：目地プレート、
８：傾斜面、            ９、９Ａ：押し上げ片、
１０、１０Ａ：目地プレート押し上げスベリ支承としてのローラー、
１１：枢支ピン、        １２：端部ガイドプレート、
１３：ビス、            １４：取付け板、
１５：ピン挿入孔、      １６：ストッパー、
１７：支持軸、          １８：目地プレート本体、
１９：モルタルやコンクリート、
２０：床材、
２１：目地プレート支持ガイドカバー部材、
２２：支持凹部、
２３：支持凹部カバー部材、
２４：重り。
【図１】
0003854872.tif 000002
【図２】
0003854872.tif 000003
【図３】
0003854872.tif 000004
【図４】
0003854872.tif 000005
【図５】
0003854872.tif 000006
【図６】
0003854872.tif 000007
【図７】
0003854872.tif 000008
【図８】
0003854872.tif 000009
【図９】
0003854872.tif 000010
【図１０】
0003854872.tif 000011
【図１１】
0003854872.tif 000012
【図１２】
0003854872.tif 000013
【図１３】
0003854872.tif 000014
【図１４】
0003854872.tif 000015
【図１５】
0003854872.tif 000016
【図１６】
0003854872.tif 000017
【図１７】
0003854872.tif 000018